(57)【要約】【課題】  車両の走行後等の高温下でも、タイヤに適切な量の空気注入を行うことができる技術を提供する。【解決手段】  車体に搭載された制御装置は、タイヤ内空気圧およびタイヤ内温度のデータを無線送信する車輪側無線送信装置から送信されたデータに基づいて、タイヤ内温度に比例して上昇する基準空気圧にタイヤ内空気圧が達することを判定し、その判定に基づいて、ユーザに警報を発するための処理を行う。【選択図】 図５
2006131014.tif 000002
【特許請求の範囲】
【請求項１】
車両の車体に配置された車体側無線受信装置と、前記車両のホイールまたはそのホイールに取り付けられたタイヤに配置された車輪側無線送信装置と、を備えた通信システムであって、
前記車輪側無線送信装置は、当該タイヤ内の温度を検出する温度センサと、
当該タイヤ内の空気圧を検出する空気圧センサと、
前記温度センサが検出した当該タイヤ内の温度、および、前記空気圧センサが検出した当該タイヤ内の空気圧のデータを無線送信する無線送信回路と、を有し、
前記車体側無線受信装置は、前記車輪側無線送信装置の前記無線送信回路が送信した前記データを受信する無線受信回路と、
前記無線受信回路が受信したデータに係るタイヤ内温度の上昇と共に上昇する基準空気圧と、前記無線受信回路が受信したデータに係るタイヤ内空気圧と、の比較に基づいて、ユーザに通知を行うための処理を行う通知処理手段と、を有することを特徴とする通信システム。
【請求項２】
前記車体側無線受信装置は、前記無線受信回路が受信したタイヤ内温度およびタイヤ内空気圧のデータに基づいて、前記タイヤ内温度の上昇と共に上昇する基準空気圧に前記タイヤ内空気圧が達することを判定する判定手段を有し、
前記通知処理手段は、前記判定手段の判定に基づいて、ユーザに警報を発するための処理を行うことを特徴とする請求項１に記載の通信システム。
【請求項３】
前記基準空気圧は、所定の温度における適正空気圧から、ボイル・シャルルの法則に則って算出される、前記タイヤ内温度における適正空気圧であることを特徴とする請求項１または２に記載の通信システム。
【請求項４】
前記判定手段は、前記空気圧センサの検出した空気圧が、それ以前に前記空気圧センサの検出した空気圧からの上昇度が既定値より高くなっている場合に、その作動を実行することを特徴とする請求項１ないし３のいずれか１つに記載の通信システム。
【請求項５】
前記判定手段は、前記空気圧センサの検出した空気圧が、それ以前に前記空気圧センサの検出した空気圧からの上昇度が既定値より低くなっている場合に、その作動を停止することを特徴とする請求項１ないし４のいずれか１つに記載の通信システム。
【請求項６】
前記判定手段は、その作動が始まってから所定時間経過したことに基づいて、その作動を停止することを特徴とする請求項１ないし５のいずれか１つに記載の通信システム。
【請求項７】
車両のホイールまたはそのホイールに取り付けられたタイヤに配置され、当該タイヤ内の温度および空気圧を検出する車輪側無線送信装置から送信された、その検出されたタイヤ内温度およびタイヤ内空気圧のデータを受信する無線受信回路と、
前記無線受信回路が受信したデータに係るタイヤ内温度の上昇と共に上昇する基準空気圧と、前記無線受信回路が受信したデータに係るタイヤ内空気圧と、の比較に基づいて、ユーザに通知を行うための処理を行う通知処理手段と、を有することを特徴とする車体側無線受信装置。
【発明の詳細な説明】
【技術分野】
【０００１】
本発明は、タイヤ内の空気圧および温度のデータの無線通信を行う通信システム、およびその通信システムで用いられる車体側無線受信装置に関するものである。
【背景技術】
【０００２】
従来、タイヤに空気を注入する場合には、空気注入ポンプに表示される圧力ゲージと、あらかじめ知っている適正タイヤ内空気圧とを比較することで、タイヤに必要十分な空気が注入されたかを確認していた。
【発明の開示】
【発明が解決しようとする課題】
【０００３】
しかし、車両の走行直後等、タイヤの温度が常温よりも上昇している場合、タイヤ内の空気圧は常温時に比べて上昇している。したがって、常温下を前提とした規定の適正タイヤ内空気圧と、この高温時のタイヤ内空気圧との比較に基づいて空気注入を行っても、結果として適正な量の空気注入を達成することは困難である。
【０００４】
本発明は上記点に鑑み、車両の走行後等の高温下でも、タイヤに適切な量の空気注入を行うことができる技術を提供することを目的とする。
【課題を解決するための手段】
【０００５】
上記目的を達成するための請求項１に記載の発明は、車両の車体に配置された車体側無線受信装置と、前記車両のホイールまたはそのホイールに取り付けられたタイヤに配置された車輪側無線送信装置と、を備えた通信システムであって、前記車輪側無線送信装置は、当該タイヤ内の温度を検出する温度センサと、当該タイヤ内の空気圧を検出する空気圧センサと、前記温度センサが検出した当該タイヤ内の温度、および、前記空気圧センサが検出した当該タイヤ内の空気圧のデータを無線送信する無線送信回路と、を有し、
前記車体側無線受信装置は、前記車輪側無線送信装置の前記無線送信回路が送信した前記データを受信する無線受信回路と、前記無線受信回路が受信したデータに係るタイヤ内温度の上昇と共に上昇する基準空気圧と、前記無線受信回路が受信したデータに係るタイヤ内空気圧と、の比較に基づいて、ユーザに通知を行うための処理を行う通知処理手段と、を有することを特徴とする通信システムである。
【０００６】
このようになっているので、この通信システムよって、空気圧センサの検出したタイヤ内空気圧と、温度センサの検出したタイヤ内温度の上昇と共に上昇する基準空気圧と、の比較に基づくユーザへの通知が行われるので、ユーザは、高温下においても、タイヤ内温度の変化に応じた適切な空気注入量の調整をすることが可能となる。
【０００７】
また、請求項２に記載の発明は、請求項１に記載の通信システムにおいて、前記車体側無線受信装置は、前記無線受信回路が受信したタイヤ内温度およびタイヤ内空気圧のデータに基づいて、前記タイヤ内温度の上昇と共に上昇する基準空気圧に前記タイヤ内空気圧が達することを判定する判定手段を有し、前記通知処理手段は、前記判定手段の判定に基づいて、ユーザに警報を発するための処理を行うことを特徴とする。
【０００８】
このようになっているので、この通信システムにおいて、空気圧センサの検出したタイヤ内空気圧が、温度センサの検出したタイヤ内温度の上昇と共に上昇する基準空気圧に達することで、ユーザに警報が発されるので、ユーザは空気圧の注入の終了時期に関連するタイミングを把握することができる。
【０００９】
また、請求項３に記載の発明は、請求項１または２に記載の通信システムにおいて、前記基準空気圧は、所定の温度における適正空気圧から、ボイル・シャルルの法則に則って算出される、前記タイヤ内温度における適正空気圧であることを特徴とする。
【００１０】
また、請求項４に記載の発明は、請求項１ないし３のいずれか１つに記載の通信システムにおいて、前記判定手段は、前記空気圧センサの検出した空気圧が、それ以前に前記空気圧センサの検出した空気圧からの上昇度が既定値より高くなっている場合に、その作動を実行することを特徴とする。
【００１１】
また、請求項５に記載の発明は、請求項１ないし４のいずれか１つに記載の通信システムにおいて、前記判定手段は、前記空気圧センサの検出した空気圧が、それ以前に前記空気圧センサの検出した空気圧からの上昇度が既定値より低くなっている場合に、その作動を停止することを特徴とする。
【００１２】
また、請求項６に記載の発明は、請求項１ないし５のいずれか１つに記載の通信システムにおいて、前記判定手段は、その作動が始まってから所定時間経過したことに基づいて、その作動を停止することを特徴とする。
【００１３】
また、請求項７に記載の発明は、車両のホイールまたはそのホイールに取り付けられたタイヤに配置され、当該タイヤ内の温度および空気圧を検出する車輪側無線送信装置から送信された、その検出されたタイヤ内温度およびタイヤ内空気圧のデータを受信する無線受信回路と、前記無線受信回路が受信したデータに係るタイヤ内温度の上昇と共に上昇する基準空気圧と、前記無線受信回路が受信したデータに係るタイヤ内空気圧と、の比較に基づいて、ユーザに通知を行うための処理を行う通知処理手段と、を有することを特徴とする車体側無線受信装置である。
【００１４】
このようになっているので、車輪側無線送信装置の検出したタイヤ内空気圧と、同じく車輪側無線送信装置の検出したタイヤ内温度の上昇と共に上昇する基準空気圧と、の比較に基づくユーザへの通知が行われるので、ユーザは、高温下においても、タイヤ内温度の変化に応じた適切な空気注入量の調整をすることが可能となる。
【発明を実施するための最良の形態】
【００１５】
（第１実施形態）
以下、本発明の第１実施形態について図１〜図５に基づいて説明する。図１は、本実施形態を示す車両の概略斜視図で、図２は本実施形態の通信システムの概略構成を示すブロック図である。図１および図２に示すように、本実施形態の通信システムは、車輪側送信装置１１〜１４、車体側受信モジュール２１〜２４、制御装置３０、および表示装置６０、を備えている。
【００１６】
車輪側送信装置１１〜１４は、タイヤとホイールから成る各車輪１〜４のホイール部分にそれぞれ設けられている。図３は、本実施形態の車輪側送信装置１１〜１４の概略構成を示すブロック図である。図３に示すように、車輪側送信装置１１〜１４は、送信回路１１ａ〜１４ａ、送信アンテナ１１ｂ〜１４ｂ、内蔵電池１１ｄ〜１４ｄ、車輪側制御部１１ｅ〜１４ｅ、空気圧センサ１１ｇ〜１４ｇ、温度センサ１１ｈ〜１４ｈを備えている。
【００１７】
送信回路１１ａ〜１４ａは、車輪側制御部１１ｅ〜１４ｅから受けたデータ（すなわちタイヤ内温度データ、タイヤ内空気圧データ等）を、それぞれ送信アンテナ１１ｂ〜１４ｂを用いて無線送信するものである。
【００１８】
内蔵電池１１ｄ〜１４ｄは、車輪側送信装置１１〜１４の各構成要素に電源供給するものである。
【００１９】
空気圧センサ１１ｇ〜１４ｇは、タイヤ内の空気圧を検出し、その検出した空気圧に基づく信号を車輪側制御部１１ｅ〜１４ｅに出力する装置である。
【００２０】
温度センサ１１ｈ〜１４ｈは、タイヤ内の温度を検出し、その検出した温度に基づく信号を車輪側制御部１１ｅ〜１４ｅに出力する装置である。
【００２１】
車輪側制御部１１ｅ〜１４ｅは、周知のマイクロコンピュータとして構成することができる。車輪側メモリ１１ｆ〜１４ｆは、ＤＲＡＭ、ＳＲＡＭ、フラッシュメモリ等から構成され、車輪側制御部１１ｅ〜１４ｅで実行されるプログラムおよび各種データを記憶する。
【００２２】
この車輪側制御部１１ｅ〜１４ｅは、このプログラムを実行することで、それぞれ空気圧センサ１１ｇ〜１４ｇから受けたタイヤ内空気圧、およびそれぞれ温度センサ１１ｈ〜１４ｈから受けたタイヤ内温度を、定期的に（例えば１分毎に）送信回路１１ａ〜１４ａに出力する。これによって、送信回路１１ａ〜１４ａから、それぞれ対応する車体側受信モジュール２１〜２４に対して、対応するタイヤのタイヤ内空気圧、タイヤ内温度が送信される。
【００２３】
車体側受信モジュール２１〜２４は、それぞれ各車輪１〜４に隣接した車体側部位（具体的にはホイールハウス７０内）に取り付けられ、それぞれ対応する車輪１〜４に取り付けられた車輪側送信装置１１〜１４から送信される電波を無線受信する受信アンテナと、その受信アンテナが受信した信号に所定の周波数変換、復調、Ａ／Ｄ変換等の処理を施し、その処理結果の信号を、信号線８０を介して制御装置３０に送信する無線受信回路と、を備えている。なお、各車体側受信モジュール２１〜２４のそれぞれの無線受信回路から制御装置３０への信号の送信は、図２のような有線式に限らず、無線式とすることもできる。
【００２４】
制御装置３０は、ＣＰＵ、ＲＡＭ、ＲＯＭ、Ｉ／Ｏ等を備えた周知のマイクロコンピュータであり、ＲＯＭ内に記憶されたプログラムに従って所定の作動を実現するようになっている。また制御装置３０は、その作動において、車体側受信モジュール２１〜２４からデータを受け取り、ユーザインターフェース６０および図示しないホーンやハザードに制御信号を出力し、また、ユーザインターフェース６０からユーザの操作に基づく信号を受ける。
【００２５】
ユーザインターフェース６０は、車両の走行距離等を表示するものであり、例えば液晶パネルが用いられる。またユーザインターフェース６０は、ボタン等のユーザが操作可能な操作装置を有し、その操作装置に対するユーザの操作に基づく信号を制御装置３０に出力する。
【００２６】
以上のような構成の通信システムにおける、制御装置３０の作動を以下説明する。制御装置３０は、図４に示す空気注入モード開始検出プログラム１００を繰り返し実行し、その実行において、まずステップ１１０で、モード切替用スイッチの操作があるか否かを判定する。ここでいうモード切替用スイッチの操作とは、ユーザインターフェース６０の操作装置に対する、車輪１〜４のうちのいずれか１つを指定し、その指定した車輪についてのモード切替を行う旨の所定の操作をいう。
【００２７】
そして、モード切替用スイッチの操作があると判定すると、続いてステップ１２０で、その操作の対象となる車輪についての空気注入モードのトグルを行う。ここで、空気注入モードのトグルとは、制御装置３０のＲＡＭ中の４つの空気注入モードフラグのうち、当該車輪に対応するフラグのオン、オフを入れ替えることをいう。なお、ステップ１１０において検出した操作が、４つの車輪のすべてについてのモード切替の旨の操作であった場合は、すべての空気注入モードフラグをトグルする。
【００２８】
ステップ１１０でモード切替用スイッチの操作がないと判定した場合、およびステップ１２０の後、空気注入モード開始検出プログラム１００の１回分の実行は終了する。
【００２９】
また、制御装置３０は、この空気注入モードフラグがオンのときに限り、そのオンである車輪について個々に、図５に示す通知処理プログラム２００を繰り返し実行し、その実行において、まずステップ２１０で、タイヤ内空気圧およびタイヤ内温度のデータを、車体側受信モジュール２１〜２４のうち、当該車輪に対応する車体側受信モジュールを介して新たに受信したか否かを判定する。ここでいう「新たに」とは、「前回の同じ車輪についての通知処理プログラム２００の実行におけるステップ２１０の処理の後に」という意味である。新たに受信した場合は、続いてステップ２２０を実行し、新たに受信していない場合は、通知処理プログラム２００の１回分の実行を終了する。
【００３０】
ステップ２２０では、制御装置３０のＲＯＭに記憶されている、常温（例えば２５℃）におけるタイヤ内空気圧の最適値と、ステップ２１０で受信したと判定した対象のタイヤ内温度のデータと、に基づいて、現温度すなわち当該タイヤ内温度における最適空気圧を算出する。この算出は、ボイル・シャルルの法則に則ったものである。すなわち、常温におけるタイヤ内空気圧の最適値をＰ０とし、その常温の絶対温度をＴ０とし、現温度の絶対温度をＴ１とした場合、現温度における最適空気圧値が、式Ｐ０×Ｔ１／Ｔ２によって算出される。したがって、この最適空気圧は、現在のタイヤ内の絶対温度に比例して大きくなる。
【００３１】
続いてステップ２３０では、ステップ２２０で算出した現温度における最適空気圧を基準空気圧とし、この基準空気圧に対し、ステップ２１０で受信したと判定した対象の空気圧が低いか否かを判定し、低い場合、すなわち現空気圧が最適空気圧に満たない場合、当該車輪についての通知処理プログラム２００の１回分の実行が終了する。
【００３２】
また、ステップ２３０の判定で、現空気圧が当該基準空気圧以上である場合、すなわち現空気圧が最適空気圧を満たしている場合、続いてステップ２４０で、ユーザに対してその旨を通知するための処理を行う。その通知のための処理としては、具体的には、車両のホーンを吹鳴させるための制御信号を出力する方法、車両のハザードを点滅させるための制御信号を出力する方法、および、ユーザインターフェース６０に当該車輪のタイヤ内空気圧が最適空気圧を満たしている旨のマークの表示を行わせるための制御信号を出力する方法がある。これらの方法のうち、少なくとも１つを含む任意の組み合わせの処理を行うことで、ステップ２４０の処理が実現される。ステップ２４０の後、当該車輪についての通知処理プログラム２００の１回分の実行が終了する。
【００３３】
以上のように、制御装置３０は、ユーザのモード切替用スイッチの操作によって空気注入モードとなっているとき、車体側受信モジュール２１〜２４が受信したタイヤ内温度およびタイヤ内空気圧のデータに基づいて、タイヤ内温度に比例して上昇する基準空気圧にタイヤ内空気圧が達する、または基準空気圧にタイヤ内空気圧を超えることを判定し、その判定に基づいて、ユーザに警報を発するための処理を行う。
【００３４】
このようになっているので、この通信システムよって、空気圧センサの検出したタイヤ内空気圧が、温度センサの検出したタイヤ内温度の上昇と共に上昇する基準空気圧に達することで、ユーザに警報が発されるので、ユーザは空気圧の注入を終了するタイミングを把握することができる。
（第２実施形態）
次に、本発明の第２実施形態について説明する、本実施形態が第１実施形態と異なるのは、制御装置３０が更に、当該車輪についての空気注入モードフラグがオンである場合に限り、その当該車輪についての図６に示す空気注入モード終了検出プログラム４００を繰り返し実行することである。
【００３５】
この空気注入モード終了検出プログラム４００の実行において、制御装置３０は、まずステップ４１０で、経過時間が所定のしきい値時間（例えば１０分）より大きいか否かを判定し、大きいなら続いてステップ４２０を実行し、大きくないなら空気注入モード終了検出プログラム４００の１回分の実行を終了する。ここで、経過時間とは、最後に当該車輪についての空気注入モードフラグがオンとなってからの経過時間をいう。
【００３６】
ステップ４２０では、当該車輪について通常作動モードに移行する。通常作動モードに移行するとは、制御装置３０のＲＡＭ中の当該車輪についての空気注入モードフラグをオフにすることをいう。ステップ４２０の後、当該車輪についての空気注入モード終了検出プログラム４００の１回分の実行が終了する。
【００３７】
このようにすることで、ある車輪についての空気注入モードフラグがオンになってから所定のしきい値時間が経過すると、ユーザがモード切替用スイッチを操作しなくとも、自動的に当該車輪についての空気注入モードが終了する。すなわち、自動的に通知処理プログラム２００の実行が停止する。
（第３実施形態）
次に、本発明の第３実施形態について説明する。本実施形態が第２実施形態と異なるのは、制御装置３０が更に、各車輪毎に、すなわち４つ並行に、図７に示す空気注入モード開始検出プログラム５００および図８に示す空気注入モード終了検出プログラム６００を繰り返し実行することである。
【００３８】
空気注入モード開始検出プログラム５００の実行において、制御装置３０は、まずステップ５１０で、当該車輪についてのタイヤ内空気圧の新計測値から前回計測値を減算した値が所定のしきい値圧力差より大きいか否かを判定し、大きい場合続いてステップ５２０を実行し、大きくない場合は当該車輪についての空気注入モード開始検出プログラム５００の１回分の実行を終了する。ここで、新計測値とは、車体側受信モジュール２１〜２４のうち、当該車輪に対応する車体側受信モジュールが最後に受信した空気圧値をいう。また、前回計測値とは、当該車体側受信モジュールが最後から１回前に受信した空気圧値をいう。
【００３９】
ステップ５２０では、当該車輪について空気注入モードに移行する。空気注入モードに移行するとは、制御装置３０のＲＡＭ中の当該車輪についての空気注入モードフラグをオンにすることをいう。ステップ５２０の後、当該車輪についての空気注入モード開始検出プログラム５００の１回分の実行が終了する。なお、ステップ５２０の処理は、複数回の連続した空気注入モード開始検出プログラム５００のすべてにおいて、ステップ５１０の判定が肯定となった場合に初めて実行されるようになっていてもよい。
【００４０】
空気注入モード終了検出プログラム６００の実行において、制御装置３０は、まずステップ６１０で、当該車輪についてのタイヤ内空気圧の新計測値から前回計測値を減算した値が所定のしきい値圧力差より小さいか否かを判定し、小さい場合続いてステップ６２０を実行し、小さくない場合は当該車輪についての空気注入モード終了検出プログラム６００の１回分の実行を終了する。
【００４１】
ステップ６２０では、当該車輪について通常モードに移行する。通常作動モードに移行するとは、制御装置３０のＲＡＭ中の当該車輪についての空気注入モードフラグをオフにすることをいう。ステップ６２０の後、当該車輪についての空気注入モード終了検出プログラム６００の１回分の実行が終了する。なお、ステップ６２０の処理は、複数回の連続した空気注入モード終了検出プログラム６００のすべてにおいて、ステップ６１０の判定が肯定となった場合に初めて実行されるようになっていてもよい。
【００４２】
以上のように、制御装置３０は、空気圧センサ１１ｇ〜１４ｇの検出した空気圧が、１回または連続して複数回、直前に同じ空気圧センサ１１ｇ〜１４ｇの検出した空気圧からの上昇度が既定値より高くなっている場合に、通知処理プログラム２００の実行を行い、また、空気圧センサ１１ｇ〜１４ｇが、それ以前に同じ空気圧センサ１１ｇ〜１４ｇの検出した空気圧からの上昇度が既定値より低くなっている場合に、通知処理プログラム２００の実行を停止するので、通知処理プログラム２００の実行開始および実行停止が、各車輪１〜４のタイヤ内空気圧の変動量に基づいて自動的に行われる。
【００４３】
なお、上記の実施形態において、車体側受信モジュール２１〜２４及び制御装置３０が、車体側無線受信装置に相当する。また、制御装置３０が、通知処理プログラム２００のステップ２３０を実行することで、判定手段として機能し、ステップ２４０を実行することで、通知処理手段として機能する。
【００４４】
なお、上記の実施形態においては、車輪側通信機１１〜１４はホイールに配置されているが、例えば車輪側通信機１１〜１４が、無線で電力の供給を受けて作動する無線ＩＣタグ程度の大きさのものであれば、タイヤ内に埋め込まれていてもよい。
【００４５】
また、上記の実施形態においては、制御装置３０は、通知処理プログラム２００のステップ２４０で、タイヤ注入の終了時期をユーザに通知するようになっているが、必ずしもこのようになっておらずともよく、例えば、現在のタイヤ内空気圧が現在のタイヤ内温度における最適空気圧の何パーセントであるかをユーザインターフェース６０に表示させるようになっていてもよい。すなわち、制御装置３０は、基準空気圧と、現在のタイヤ内空気圧との比較に基づいて、ユーザに通知を行うための処理を行うようになっていれば足りる。
【００４６】
また、第３実施形態においては、制御装置３０が空気注入モード開始検出プログラム５００、空気注入モード終了検出プログラム６００を実行しているが、これらのプログラムを各車輪側制御部１１ｅ〜１４ｅがそれぞれ実行するようになっていてもよい。このようになっている場合、タイヤ内空気圧の新計測値とは、車輪側制御部１１ｅ〜１４ｅに接続しているそれぞれの空気圧センサ１１ｇ〜１４ｇから受けた最後の空気圧の信号であり、前回計測値とは、その１回前に同じ空気圧センサ１１ｇ〜１４ｇから受けた空気圧の信号である。
【００４７】
またこの場合、空気注入モードへの移行とは、送信回路１１ａ〜１４ａを用いて送信するタイヤ内空気圧およびタイヤ内温度のデータを送信する間隔を、通常時よりも短くし、さらに、空気注入モードに移行した旨の信号を、送信回路１１ａ〜１４ａを用いて送信することである。また、通常作動モードへの移行とは、送信回路１１ａ〜１４ａを用いて送信するタイヤ内空気圧およびタイヤ内温度のデータを送信する間隔を、空気注入モード時よりも長くし、さらに、通常作動モードに移行した旨の信号を、送信回路１１ａ〜１４ａを用いて送信することである。
【００４８】
またこの場合、制御装置３０は、空気注入モードに移行した旨の信号を車体側受信モジュール２１〜２４のいずれかから受けると、その受けた車体側受信モジュールに対応する空気注入モードフラグをオンにし、通常モードに移行した旨の信号を車体側受信モジュール２１〜２４のいずれかから受けると、その受けた車体側受信モジュールに対応する空気注入モードフラグをオフにする。
【００４９】
また、上記実施形態においては、算出する基準空気圧は、最適空気圧であるが、必ずしも最適である必要はなく、適切な空気圧値であればよい。
【００５０】
また、制御装置３０による空気注入モード開始検出プログラム１００の実行においては、ユーザインターフェース６０からの操作に限らず、例えば制御装置３０に接続されているナビゲーション装置への操作に基づいて、空気注入モードのトグルを行うようになっていてもよい。
【図面の簡単な説明】
【００５１】
【図１】本発明の第１実施形態を示す車両の概略斜視図である。
【図２】第１実施形態の通信システムの概略構成を示すブロック図である。
【図３】車輪側送信装置１１〜１４の構成を示すブロック図である。
【図４】空気注入モード開始検出プログラム１００のフローチャートである。
【図５】通知処理プログラム２００のフローチャートである。
【図６】第２実施形態における空気注入モード終了検出プログラム４００のフローチャートである。
【図７】第３実施形態における空気注入モード開始検出プログラム５００のフローチャートである。
【図８】第３実施形態における空気注入モード終了検出プログラム６００のフローチャートである。
【符号の説明】
【００５２】
１〜４…車輪、１１〜１４…車輪側送信装置、１１ａ〜１４ａ…送信回路、
１１ｂ〜１４ｂ…送信アンテナ、１１ｄ〜１４ｄ…電池、
１１ｅ〜１４ｅ…車輪側制御部、１１ｆ〜１４ｆ…車輪側メモリ、
１１ｇ〜１４ｇ…空気圧センサ、１１ｈ〜１４ｈ…温度センサ、
２１〜２４…車体側受信モジュール、３０…制御装置、
６０…ユーザインターフェース、７０…ホイールハウス、８０…信号線、
１００、５００…空気注入モード開始検出プログラム、２００…通知処理プログラム、
４００、６００…空気注入モード終了検出プログラム。
【図１】
2006131014.tif 000003
【図２】
2006131014.tif 000004
【図３】
2006131014.tif 000005
【図４】
2006131014.tif 000006
【図５】
2006131014.tif 000007
【図６】
2006131014.tif 000008
【図７】
2006131014.tif 000009
【図８】
2006131014.tif 000010